(57)【要約】      （修正有）【課題】軸方向の寸法が小さく、かつ、音の静かな遠心ファンを提供する。【解決手段】この遠心ファンの側壁３３Ａは、回転部の回転方向下流側へ進むに従ってインペラとの間隙が拡大する間隙拡大部３３４Ａを備えている。また、この遠心ファンでは、基板の電子部品配置部４１Ａが、間隙拡大部、インペラ、および排気口によって囲まれた領域に、配置されている。このため、モータおよびインペラと、電子部品配置部とが、軸方向に重ならない。このようにすれば、遠心ファンの軸方向の寸法を抑制できる。また、電子部品配置部は、中心軸を中心とした周方向において、排気口の中央から測って１８０°上流側の位置およびその下流側の領域に、配置されている。すなわち、電子部品配置部は、風洞の幅が広い領域に、配置されている。このようにすれば、電子部品配置部による風切り音を、抑制できる。【選択図】図１
2013130094.tif 000002
【特許請求の範囲】
【請求項１】
上下に延びる中心軸を中心として回転部を回転させるモータと、
前記回転部とともに回転するインペラと、
前記モータに駆動電流を与える基板と、
前記回転部および前記インペラを収容し、上側吸気口と排気口とを備えたハウジングと、
を有し、
前記ハウジングは、
前記インペラの下側において前記中心軸に略直交する方向に広がる底板と、
前記インペラの上側において前記中心軸に略直交する方向に広がる天板と、
前記インペラの径方向外側において、前記底板の外縁部と前記天板の外縁部とを繋ぐ側壁と、
を有し、
前記側壁は、前記回転部の回転方向下流側へ進むに従って前記インペラとの間隙が拡大する間隙拡大部を備え、
前記間隙拡大部の周方向の広がりは、前記側壁全体の少なくとも半分を占め、
前記側壁は、回転方向下流側および回転方向上流側に一対の縁を備え、
前記一対の縁の間の空隙が、前記排気口であり、
前記天板は、前記モータの上方に前記上側吸気口を有し、
前記基板は、
電子部品が配置された電子部品配置部と、
前記電子部品配置部から前記モータへ向けて延びるモータ接続部と、
前記電子部品配置部から前記ハウジングの外部へ延びる引出部と、
を有し、
前記電子部品配置部は、前記底板上の所定の領域に配置され、
前記所定の領域は、前記間隙拡大部、前記インペラ、および前記排気口によって囲まれ、かつ、前記中心軸を中心とした周方向において、前記排気口の中央から測って１８０°上流側の位置およびその下流側の領域である遠心ファン。
【請求項２】
請求項１に記載の遠心ファンにおいて、
前記基板は、フレキシブルプリント基板により構成されている遠心ファン。
【請求項３】
請求項１または請求項２に記載の遠心ファンにおいて、
前記電子部品配置部と前記側壁との間隔は、前記電子部品配置部と前記インペラとの間隔より、小さい遠心ファン。
【請求項４】
請求項１から請求項３までのいずれかに記載の遠心ファンにおいて、
前記ハウジングは、前記上側吸気口および前記排気口とは別に、前記引出部が引き出される引出口を有する遠心ファン。
【請求項５】
請求項４に記載の遠心ファンにおいて、
前記引出口が、平面視において、前記インペラの径方向外側の端部より径方向内側に、配置されている遠心ファン。
【請求項６】
請求項４に記載の遠心ファンにおいて、
前記引出口が、平面視において、前記インペラの径方向外側の端部より径方向外側に、配置されている遠心ファン。
【請求項７】
請求項６に記載の遠心ファンにおいて、
前記引出口は、前記側壁に設けられている遠心ファン。
【請求項８】
請求項１から請求項３までのいずれかに記載の遠心ファンにおいて、
前記底板は、前記モータまたは前記インペラの下方に位置する下側吸気口を有し、
前記引出部が、前記下側吸気口から引き出されている遠心ファン。
【請求項９】
請求項１から請求項３までのいずれかに記載の遠心ファンにおいて、
前記底板は、前記モータまたは前記インペラの下方に位置する複数の下側吸気口を有し、
前記引出部が、前記複数の下側吸気口の間に形成されたリブに沿って延びている遠心ファン。
【請求項１０】
請求項１から請求項３までのいずれかに記載の遠心ファンにおいて、
前記引出部が、前記排気口から引き出されている遠心ファン。
【請求項１１】
請求項１から請求項１０までのいずれかに記載の遠心ファンにおいて、
前記モータ接続部は、前記モータの巻線が接続される１つまたは複数のランド部を有し、
少なくとも１つの前記ランド部が、前記中心軸を中心とした周方向において、前記排気口の中央から測って１８０°上流側の位置およびその下流側の領域に配置されている遠心ファン。
【請求項１２】
請求項１１に記載の遠心ファンにおいて、
前記電子部品配置部上の電子部品と前記ランド部とを結ぶ配線が、鋭角に曲折することなく延びている遠心ファン。
【請求項１３】
請求項１から請求項１２までのいずれかに記載の遠心ファンにおいて、
前記電子部品配置部を覆う樹脂製のポッティング部をさらに有する遠心ファン。
【発明の詳細な説明】
【技術分野】
【０００１】
本発明は、遠心ファンに関する。
【背景技術】
【０００２】
従来、パソコン等の電子機器には、内部冷却用の遠心ファンが、搭載されている。遠心ファンを駆動させると、電子機器を構成する筐体の内部に、気流が生じる。これにより、筐体の内部における熱の蓄積が、抑制される。従来の遠心ファンの構造については、例えば、特開２００１−１３５９６４号公報に記載されている。
【特許文献１】特開２００１−１３５９６４号公報
【発明の概要】
【発明が解決しようとする課題】
【０００３】
遠心ファンは、巻線に駆動電流を与えるための回路基板を有している。また、従来の多くの遠心ファンでは、回路基板上に、インペラの回転数を検出するための磁気センサが、設けられていた。このため、種々の電子部品を含む回路基板が、モータの回転部やインペラの近傍に、配置されていた。
【０００４】
しかしながら、モータまたはインペラと、回路基板上の電子部品とを、軸方向に重なるように配置すると、遠心ファンを軸方向に薄型化することが、困難となる。特に、近年では、ノート型パソコンやタブレット型パソコンの薄型化が進んでおり、それらの電子機器に搭載される遠心ファンにおいても、薄型化の要求が高まっている。
【０００５】
当該要求に対応するためには、例えば、回路基板の電子部品が配置された部分を、インペラより径方向外側の風洞内に配置することが、考えられる。しかしながら、風洞内に回路基板を配置すると、回路基板に風が当たって、遠心ファンの風切り音が大きくなるという問題が生じる。
【０００６】
本発明の目的は、軸方向の寸法が小さく、かつ、音の静かな遠心ファンを提供することである。
【課題を解決するための手段】
【０００７】
本願の例示的な第１発明は、上下に延びる中心軸を中心として回転部を回転させるモータと、前記回転部とともに回転するインペラと、前記モータに駆動電流を与える基板と、前記回転部および前記インペラを収容し、上側吸気口と排気口とを備えたハウジングと、を有し、前記ハウジングは、前記インペラの下側において前記中心軸に略直交する方向に広がる底板と、前記インペラの上側において前記中心軸に略直交する方向に広がる天板と、前記インペラの径方向外側において、前記底板の外縁部と前記天板の外縁部とを繋ぐ側壁と、を有し、前記側壁は、前記回転部の回転方向下流側へ進むに従って前記インペラとの間隙が拡大する間隙拡大部を備え、前記間隙拡大部の周方向の広がりは、前記側壁全体の少なくとも半分を占め、前記側壁は、回転方向下流側および回転方向上流側に一対の縁を備え、前記一対の縁の間の空隙が、前記排気口であり、前記天板は、前記モータの上方に前記上側吸気口を有し、前記基板は、電子部品が配置された電子部品配置部と、前記電子部品配置部から前記モータへ向けて延びるモータ接続部と、前記電子部品配置部から前記ハウジングの外部へ延びる引出部と、を有し、前記電子部品配置部は、前記底板上の所定の領域に配置され、前記所定の領域は、前記間隙拡大部、前記インペラ、および前記排気口によって囲まれ、かつ、前記中心軸を中心とした周方向において、前記排気口の中央から測って１８０°上流側の位置およびその下流側の領域である遠心ファンである。
【発明の効果】
【０００８】
本願の例示的な第１発明によれば、電子部品配置部が、インペラより径方向外側に、配置されている。このため、モータおよびインペラと、電子部品配置部とが、軸方向に重ならない。したがって、遠心ファンの軸方向の寸法を抑制できる。また、電子部品配置部は、風洞の幅が広い領域に、配置されている。このため、電子部品配置部による風切り音を、抑制できる。
【図面の簡単な説明】
【０００９】
【図１】図１は、第１実施形態に係る遠心ファンの横断面図である。
【図２】図２は、第２実施形態に係る遠心ファンの上面図である。
【図３】図３は、第２実施形態に係る遠心ファンの下面図である。
【図４】図４は、第２実施形態に係る遠心ファンの横断面図である。
【図５】図５は、第２実施形態に係る遠心ファンの縦断面図である。
【図６】図６は、変形例に係る遠心ファンの横断面図である。
【図７】図７は、変形例に係る遠心ファンの横断面図である。
【図８】図８は、変形例に係る遠心ファンの横断面図である。
【図９】図９は、変形例に係る遠心ファンの上面図である。
【図１０】図１０は、変形例に係る遠心ファンの横断面図である。
【発明を実施するための形態】
【００１０】
以下、本発明の例示的な実施形態について、図面を参照しつつ説明する。なお、本願では、モータの中心軸に沿う方向を「軸方向」、モータの中心軸に直交する方向を「径方向」、モータの中心軸を中心とする円弧に沿う方向を「周方向」、とそれぞれ称する。また、本願では、軸方向を上下方向とし、ハウジングの底板に対して天板側を「上」として、各部の形状や位置関係を説明する。ただし、これは、あくまで説明の便宜のために上下を定義したものであって、本発明に係る遠心ファンの使用時の向きを限定するものではない。
【００１１】
＜１．第１実施形態＞
図１は、本発明の第１実施形態に係る遠心ファン１Ａの横断面図である。図１に示すように、遠心ファン１Ａは、モータ１０Ａ、インペラ２０Ａ、ハウジング３０Ａ、および基板４０Ａを有している。
【００１２】
モータ１０Ａは、中心軸９Ａを中心として回転部６０Ａを回転させる。インペラ２０Ａは、回転部６０Ａとともに回転する。回転部６０Ａおよびインペラ２０Ａは、ハウジング３０Ａ内に収容されている。基板４０Ａは、モータ１０Ａに駆動電流を与える。
【００１３】
ハウジング３０Ａは、底板３１Ａ、天板、および側壁３３Ａを有している。底板３１Ａおよび天板は、インペラ２０Ａの下側および上側において、それぞれ、中心軸９Ａに略直交する方向に広がっている。側壁３３Ａは、インペラ２０Ａの径方向外側において、底板３１Ａの外縁部と天板の外縁部とを繋いでいる。また、側壁３３Ａは、回転部６０Ａの回転方向下流側へ進むに従って、インペラ２０Ａとの間隙が拡大する間隙拡大部３３４Ａを備えている。間隙拡大部３３４Ａの周方向の広がりは、側壁３３Ａ全体の少なくとも半分を占めている。
【００１４】
図１中に二点鎖線で示したように、天板は、モータ１０Ａの上方に、上側吸気口３２１Ａを有している。また、側壁３３Ａは、モータ１０Ａの回転方向下流側および回転方向上流側に、一対の縁３３１Ａ，３３２Ａを備えている。そして、一対の縁３３１Ａ，３３２Ａの間の空隙が、排気口３３３Ａとなっている。
【００１５】
基板４０Ａは、電子部品配置部４１Ａ、モータ接続部４２Ａ、および引出部４３Ａを有している。電子部品配置部４１Ａには、電子部品４１１Ａが配置されている。モータ接続部４２Ａは、電子部品配置部４１Ａからモータ１０Ａへ向けて延びている。引出部４３Ａは、電子部品配置部４１Ａからハウジング３０Ａの外部へ向けて延びている。
【００１６】
基板４０Ａの電子部品配置部４１Ａは、図１中に破線で示した領域７０Ａに、配置されている。領域７０Ａは、間隙拡大部３３４Ａ、インペラ２０Ａ、および排気口３３３Ａによって囲まれている。このように、電子部品配置部４１Ａを、インペラ２０Ａより径方向外側に配置すれば、モータ１０Ａおよびインペラ２０Ａと、電子部品配置部４１Ａとが、軸方向に重ならない。したがって、遠心ファン１Ａの軸方向の寸法を抑制できる。
【００１７】
また、領域７０Ａは、中心軸９Ａを中心とした周方向において、排気口３３３Ａの中央から測って１８０°上流側の位置およびその下流側の領域である。したがって、電子部品配置部４１Ａは、風洞の幅が広い領域に、配置されている。このようにすれば、電子部品配置部４１Ａによる風切り音を、抑制できる。
【００１８】
＜２．第２実施形態＞
続いて、本発明の第２実施形態について、説明する。図２は、第２実施形態に係る遠心ファン１の上面図である。図３は、遠心ファン１の下面図である。図４は、遠心ファン１の横断面図である。図５は、図２〜図４中のＡ−Ａ位置から見た遠心ファン１の縦断面図である。
【００１９】
この遠心ファン１は、ノート型パソコン等の電子機器に搭載され、電子機器の内部を冷却するために使用される。図２〜図５に示すように、本実施形態の遠心ファン１は、モータ１０、インペラ２０、ハウジング３０、および基板４０を有している。
【００２０】
モータ１０は、駆動電流に応じてインペラ２０を回転させる。図５に示すように、モータ１０は、ハウジング３０に固定される静止部５０と、静止部５０に対して回転可能に支持される回転部６０と、を有している。静止部５０は、連結部材５１、ステータコア５２、巻線５３、スリーブ５４、およびキャップ５５を有している。回転部６０は、シャフト６１、ロータホルダ６２、および複数のマグネット６３を有している。
【００２１】
連結部材５１は、ハウジング３０の底板３１に固定されている。ステータコア５２およびスリーブ５４は、連結部材５１に支持されている。ステータコア５２は、中心軸９に対して放射状に延びる複数のティース５２１を有している。巻線５３は、各ティース５２１に巻かれた導線により構成されている。スリーブ５４は、連結部材５１の内周面に固定された、略円筒状の部材である。キャップ５５は、スリーブ５４の下部の開口を塞いでいる。
【００２２】
シャフト６１は、軸方向に延びる柱状の部材である。シャフト６１の下部は、スリーブ５４の内側に挿入されている。ロータホルダ６２は、シャフト６１の外周面を包囲する内側円筒部６２１と、内側円筒部６２１の上端部から径方向外側へ広がる平板部６２２と、平板部６２２の外縁部から下方へ延びる外側円筒部６２３と、を有している。複数のマグネット６３は、ステータコア５２の径方向外側において、外側円筒部６２３の内周面に固定されている。また、複数のマグネット６３は、Ｎ極とＳ極とが交互に並ぶように、周方向に配列されている。
【００２３】
また、静止部５０側のスリーブ５４およびキャップ５５と、回転部６０側のシャフト６１および内側円筒部６２１との間には、潤滑液１１が介在している。このモータ１０では、スリーブ５４、キャップ５５、シャフト６１、および内側円筒部６２１が、静止部５０と回転部６０とを潤滑液１１を介して相対回転させる流体動圧軸受を、構成している。潤滑液１１には、例えば、ポリオールエステル系オイルや、ジエステル系オイルが使用される。
【００２４】
基板４０を介して巻線５３に駆動電流を与えると、ステータコア５２の複数のティース５２１に、磁束が発生する。そして、ティース５２１とマグネット６３との間の磁束の作用により、周方向のトルクが生じる。その結果、静止部５０に対して回転部６０が、中心軸９を中心として回転する。
【００２５】
インペラ２０は、円環状のインペラ基部２１と、複数の羽根２２とを有している。インペラ基部２１は、ロータホルダ６２の外側円筒部６２３の外周面に、固定されている。図４中に二点鎖線で示したように、複数の羽根２２は、周方向に等間隔に配列されている。各羽根２２は、インペラ基部２１から径方向外側へ向けて延びている。インペラ基部２１および複数の羽根２２は、例えば、樹脂の射出成型により、一繋がりの部材として形成される。ただし、インペラ基部２１と複数の羽根２２とが、別体の部材で構成されていてもよい。インペラ基部２１および複数の羽根２２は、モータ１０の回転部６０とともに、中心軸９を中心として回転する。
【００２６】
ハウジング３０は、底板３１と、天板３２と、側壁３３とを有している。底板３１および天板３２は、インペラ２０の下側および上側において、それぞれ、中心軸９に略直交する方向に広がっている。側壁３３は、インペラ２０の径方向外側において、底板３１の外縁部と天板３２の外縁部とを、部分的に繋いでいる。モータ１０の回転部６０およびインペラ２０は、底板３１、天板３２、および側壁３３に囲まれたハウジング３０の内部空間に、収容されている。
【００２７】
図２および図５に示すように、天板３２には、上下に貫通する上側吸気口３２１が、形成されている。上側吸気口３２１は、モータ１０の上方に位置している。また、上側吸気口３２１は、上面視において、中心軸９を中心とする円形となっている。また、側壁３３は、インペラ２０の回転方向下流側と、回転方向上流側とに、一対の縁３３１，３３２を有している。当該一対の縁３３１，３３２の間には、排気口３３３となる空隙が形成されている。
【００２８】
インペラ２０を回転させると、上側吸気口３２１を介してハウジング３０の内部へ、軸方向に気体が吸引される。また、ハウジング３０内に吸引された気体は、インペラ２０による遠心力を受け、図４中に矢印で示したように、インペラ２０と側壁３３との間の風洞３４を、周方向に流れる。その後、気体は、風洞３４から排気口３３３を通ってハウジング３０の外部へ排出される。
【００２９】
また、図４に示すように、側壁３３とインペラ２０との間に設けられた風洞３４の径方向の幅は、回転部６０の回転方向上流側から下流側へ向かうにつれて、徐々に拡大している。すなわち、側壁３３は、回転方向下流側へ進むに従って、インペラ２０との径方向の間隔が拡大する間隙拡大部３３４を有している。間隙拡大部３３４の周方向の広がりは、側壁３３全体の少なくとも半分を占めている。
【００３０】
基板４０は、モータ１０に駆動電流を与えるための電子回路を搭載している。本実施形態の基板４０には、フレキシブルプリント基板が使用されている。基板４０は、電子部品配置部４１、モータ接続部４２、および引出部４３を有している。電子部品配置部４１およびモータ接続部４２は、ハウジング３０の底板３１の上面に、固定されている。また、電子部品配置部４１には、１つまたは複数の電子部品４１１が、配置されている。このため、電子部品配置部４１には、電子部品４１１によって、軸方向の高さ寸法が大きい部分が含まれている。
【００３１】
モータ接続部４２は、電子部品配置部４１からモータ１０へ向けて延びている。モータ接続部４２のモータ１０側の端部付近には、４つのランド部４２１が設けられている。本実施形態では、４つのランド部４２１が、３相交流のＵ相、Ｖ相、Ｗ相、およびコモンに、それぞれ対応している。各ランド部４２１には、モータ１０の巻線５３の端部が、半田付けされている。
【００３２】
引出部４３は、電子部品配置部４１から、ハウジング３０の外部へ向けて、延びている。本実施形態では、引出部４３が、電子部品配置部４１から、一旦径方向内側へ向けて延びている。そして、ハウジング３０の底板３１に設けられた引出口３１１を介して、ハウジング３０の外部へ、引出部４３が引き出されている。本実施形態のハウジング３０には、上側吸気口３２１および排気口３３３とは別に、引出口３１１が設けられている。また、引出部４３の先端には、コネクタ４３１が設けられている。コネクタ４３１は、電源装置に接続される。
【００３３】
電子部品配置部４１は、風洞３４の内部に配置されている。このため、風洞３４内を流れる風を利用して、電子部品配置部４１上の電子部品４１１を冷却できる。本実施形態の基板４０は、回転部６０の回転数を検出するための磁気センサを持たない、いわゆるセンサレス駆動回路を搭載している。このため、基板４０の電子部品配置部４１を、モータ１０のマグネット６３から離れた位置に配置することが、可能となっている。
【００３４】
また、電子部品配置部４１は、インペラ２０の径方向外側の端部、側壁３３の間隙拡大部３３４の内周面、および排気口３３３によって囲まれた領域に、配置されている。すなわち、電子部品配置部４１は、インペラ２０より径方向外側に、配置されている。このようなレイアウトを採れば、モータ１０およびインペラ２０と、電子部品配置部４１とが、軸方向に重ならない。したがって、遠心ファン１の軸方向の寸法を抑制できる。
【００３５】
特に、本実施形態の基板４０には、フレキシブルプリント基板が使用されている。これにより、ガラスエポキシ基板等のリジッド基板と比べて、基板４０自体の軸方向の寸法が、抑制されている。その結果、遠心ファン１の軸方向の寸法が、より抑制されている。
【００３６】
仮に、電子部品配置部が、風洞の幅が狭い部分や、インペラの近傍に配置されていたとすると、電子部品配置部による風切り音が大きくなる。この点について、本実施形態では、電子部品配置部４１が、側壁３３の回転方向下流側の縁３３１の近傍に、配置されている。より具体的には、電子部品配置部４１が、側壁３３と排気口３３３との双方に沿うように、配置されている。これにより、電子部品配置部４１とインペラ２０との距離が、引き離されている。このようにすれば、電子部品配置部４１による風切り音を、抑制できる。
【００３７】
電子部品配置部４１による風切り音を抑制するためには、風洞３４の径方向の幅が広い領域に、電子部品配置部４１を配置することが好ましい。例えば、中心軸９を中心とした周方向において、排気口３３３の中央から測って１８０°上流側の位置およびその下流側の領域に、電子部品配置部４１を配置することが好ましい。また、中心軸９を中心とした周方向において、排気口３３３の中央から測って９０°上流側の位置およびその下流側の領域に、電子部品配置部４１を配置すれば、電子部品配置部４１による風切り音を、より抑制できる。
【００３８】
また、本実施形態では、電子部品配置部４１と側壁３３との間隔が、電子部品配置部４１とインペラ２０との間隔より小さくなるように、電子部品配置部４１が配置されている。このようにすれば、電子部品配置部４１を、インペラ２０から遠ざけることができる。したがって、電子部品配置部４１による風切り音を、さらに抑制できる。
【００３９】
また、図４に示すように、本実施形態では、底板３１の引出口３１１が、平面視において、インペラ２０の径方向外側の端部より径方向内側に、設けられている。このため、引出口３１１が、風洞３４に面していない。このようにすれば、風洞３４内を流れる気体が、引出口３１１から漏れ出すことを、抑制できる。その結果、遠心ファン１の静圧を、高めることができる。なお、引出口３１１からの気体の漏れをより抑制するために、引出口３１１を、インペラ基部２１の径方向外側の端縁部より径方向内側に、配置してもよい。
【００４０】
また、本実施形態では、少なくとも１つのランド部４２１が、中心軸９を中心とした周方向において、排気口３３３の中央から測って１８０°上流側の位置およびその下流側の領域に、配置されている。このようにすれば、電子部品配置部４１の複数の電子部品４１１と、モータ接続部４２のランド部４２１との配線距離が、短くなる。したがって、電子部品配置部４１と巻線５３との間において、電気的ノイズを低減できる。
【００４１】
また、本実施形態では、電子部品４１１とランド部４２１とを結ぶ配線が、鋭角に曲折することなく延びている。これにより、電子部品４１１とランド部４２１との配線距離が、さらに短縮されている。その結果、電子部品配置部４１と巻線５３との間の電気的ノイズが、さらに低減されている。
【００４２】
特に、本実施形態の基板４０には、センサレス駆動回路が搭載されている。センサレス駆動回路は、巻線５３に生じる僅かな誘起電圧に基づいて、駆動電流を制御する。したがって、電気的ノイズが、モータ１０の駆動制御に影響を及ぼしやすい。しかしながら、本実施形態の基板のレイアウトを採れば、上述の通り、電子部品配置部４１と巻線５３との間の電気的ノイズを低減できる。したがって、センサレス駆動回路による駆動制御を、より正確に実行できる。
【００４３】
＜３．変形例＞
以上、本発明の例示的な実施形態について説明したが、本発明は上記の実施形態に限定されるものではない。
【００４４】
引出口は、平面視において、インペラの径方向外側の端部より径方向外側に、配置されていてもよい。そのようにすれば、上記の第２実施形態より、電子部品配置部と引出口との距離を、短くすることができる。したがって、引出部の長さを短くすることができる。
【００４５】
例えば、図６の遠心ファン１Ｂのように、引出口３３５Ｂが、ハウジング３０Ｂの側壁３３Ｂに設けられていてもよい。図６の例では、基板４０Ｂの引出部４３Ｂが、電子部品配置部４１Ｂから、径方向内側へ延びることなく、直接に径方向外側の引出口３３５Ｂへ延びている。その結果、引出部４３Ｂの長さが、第２実施形態より短くなっている。引出部４３Ｂの長さが短くなれば、電源装置と電子部品配置部４１Ｂとの間における電気的ノイズの混入を、より抑制できる。
【００４６】
図７は、他の変形例に係る遠心ファン１Ｃの横断面図である。図７の例では、ハウジング３０Ｃの底板３１Ｃに、複数の下側吸気口３１２Ｃが設けられている。下側吸気口３１２Ｃは、モータの回転部６０Ｃの下方、または、インペラ２０Ｃの下方に設けられた貫通孔である。このようにすれば、上側吸気口と下側吸気口３１２Ｃとの双方から、ハウジング３０Ｃの内部へ、気体を取り込むことができる。
【００４７】
また、図７の例では、基板４０Ｃの引出部４３Ｃが、下側吸気口３１２Ｃを介して、ハウジング３０の外部へ引き出されている。このように、下側吸気口３１２Ｃを利用して引出部４３Ｃを引き出せば、引出部４３Ｃのために固有の開口部を設ける必要がない。
【００４８】
図８は、他の変形例に係る遠心ファン１Ｄの横断面図である。図８の例では、引出口３３５Ｄが、電子部品配置部４１Ｄからモータを介して反対側の位置に、配置されている。また、ハウジング３０Ｄの底板３１Ｄには、複数の下側吸気口３１２Ｄが設けられている。下側吸気口３１２Ｄは、モータの回転部６０Ｄの下方、または、インペラ２０Ｄの下方に設けられた貫通孔である。
【００４９】
また、図８の例では、基板４０Ｄの引出部４３Ｄが、複数の下側吸気口３１２Ｄの間に形成されたリブ３１３Ｄに沿って、引出口３３５Ｄへ延びている。このようにすれば、下側吸気口３１２Ｄからの吸気を妨げることなく、電子部品配置部４１Ｄから引出口３３５Ｄへ、引出部４３Ｄを延ばすことができる。
【００５０】
図９は、他の変形例に係る遠心ファン１Ｅの上面図である。図９の例では、基板４０Ｅの引出部４３Ｅが、排気口３３３Ｅから引き出されている。そして、排気口３３３Ｅから引き出された引出部４３Ｅが、天板３２Ｅの上面へ折り返されて、側方へ延びている。このように、排気口３３３Ｅを利用して引出部４３Ｅを引き出せば、ハウジング３０Ｅに、引出部のために固有の開口部を設ける必要がない。したがって、ハウジング３０Ｅの剛性低下や、ハウジング３０Ｅからの気体の漏れを、より抑制できる。なお、排気口３３３Ｅから引き出された引出部４３Ｅを、底板の下面へ折り返して、側方へ延ばしてもよい。
【００５１】
図１０は、他の変形例に係る遠心ファン１Ｆの横断面図である。図１０の例では、基板４０Ｆの電子部品配置部４１Ｆの上面が、樹脂製のポッティング部４４Ｆに覆われている。このようにすれば、電子部品配置部４１Ｆを風洞３４Ｆ内に配置しつつ、電子部品配置部４１Ｆ上の電子部品４１１Ｆを、気流から保護できる。
【００５２】
また、遠心ファンの細部の構成については、上記の実施形態や変形例と相違していてもよい。例えば、基板のモータ接続部に設けられるランド部の数は、１つ〜３つであってもよく、５つ以上であってもよい。また、ハウジングの底板または天板が、側壁と１繋がりの部材で構成されていてもよい。
【００５３】
また、基板は、ガラスエポキシ基板等のリジッド基板であってもよい。リジッド基板を用いる場合には、引出部が導線のみで形成されていてもよい。また、モータの軸受部には、上記の実施形態のような流体動圧軸受機構が採用されていてもよいし、滑り軸受等の他方式の軸受機構が採用されていてもよい。
【００５４】
また、本発明の遠心ファンは、電子機器以外の装置に搭載されるものであってもよい。また、本発明の遠心ファンは、冷却以外の目的で使用されるものであってもよい。ただし、ノート型ＰＣやタブレット型ＰＣに使用される遠心ファンでは、特に薄型化の要求が高いため、本発明が有用である。
【００５５】
また、上記の実施形態や変形例に登場した各要素を、矛盾が生じない範囲で、適宜に組み合わせてもよい。
【産業上の利用可能性】
【００５６】
本発明は、遠心ファンに利用できる。
【符号の説明】
【００５７】
１，１Ａ〜１Ｆ  遠心ファン
９，９Ａ  中心軸
１０，１０Ａ  モータ
１１  潤滑液
２０，２０Ａ，２０Ｃ，２０Ｄ  インペラ
２１  インペラ基部
２２  羽根
３０，３０Ａ〜３０Ｅ  ハウジング
３１，３１Ａ，３１Ｃ，３１Ｄ  底板
３２，３２Ｅ  天板
３３，３３Ａ，３３Ｂ  側壁
３４，３４Ｆ  風洞
４０，４０Ａ〜４０Ｆ  基板
４１，４１Ａ，４１Ｂ，４１Ｄ，４１Ｆ  電子部品配置部
４２，４２Ａ  モータ接続部
４３，４３Ａ〜４３Ｅ  引出部
４４Ｆ  ポッティング部
５０  静止部
５１  連結部材
５２  ステータコア
５３  巻線
５４  スリーブ
５５  キャップ
６０，６０Ａ，６０Ｃ，６０Ｄ  回転部
６１  シャフト
６２  ロータホルダ
６３  マグネット
７０Ａ  領域
３１１，３３５Ｂ，３３５Ｄ  引出口
３１２Ｃ，３１２Ｄ  下側吸気口
３１３Ｄ  リブ
３２１，３２１Ａ  上側吸気口
３３１，３３１Ａ，３３２，３３２Ａ  縁
３３３，３３３Ａ，３３３Ｅ  排気口
３３４，３３４Ａ  間隙拡大部
４１１，４１１Ａ，４１１Ｆ  電子部品
４２１  ランド部
【図１】
2013130094.tif 000003
【図２】
2013130094.tif 000004
【図３】
2013130094.tif 000005
【図４】
2013130094.tif 000006
【図５】
2013130094.tif 000007
【図６】
2013130094.tif 000008
【図７】
2013130094.tif 000009
【図８】
2013130094.tif 000010
【図９】
2013130094.tif 000011
【図１０】
2013130094.tif 000012